(57)【要約】【課題】  作業者に専門的知識がなくとも、配管に適切な勾配がつくようにスリーブを適切な位置に保持すること。【解決手段】  コンクリートの打設時に埋設するスリーブ10を保持するためのスリーブ保持部２と、同一の高さに水平に配設された鉄筋に固定するための固定部３と、スリーブ保持部２から固定部３までの高さを調節する高さ調節部４と、を有し、高さ調節部４は、所定の間隔で配設されている複数の穴40と穴40に嵌合する突起６とを嵌合させることにより高さの調節を段階的に行うことを特徴とする。【選択図】  図１
2006241756.tif 000002
【特許請求の範囲】
【請求項１】
コンクリートの打設時に埋設する配管用のスリーブを保持するためのスリーブ保持部と、
同一の高さに水平に配設された鉄筋に固定するための固定部と、
前記スリーブ保持部及び前記固定部の間において前記スリーブの高さを調節する高さ調節部と、を有し、
前記高さ調節部は、高さ方向に所定の間隔で配設されている複数の穴と該穴に嵌合する水平方向に突出した突起とを嵌合させることにより高さの調節を段階的に行い得ることを特徴とするスリーブ保持具。
【請求項２】
請求項１に記載のスリーブ保持具であって、
前記複数の穴の間隔は、建物のモジュールと配管の勾配とにより決定されることを特徴とするスリーブ保持具。
【請求項３】
請求項１又は２に記載のスリーブ保持具であって、
前記複数の穴のそれぞれの近傍には、保持する前記スリーブの高さを表す高さ表示が付されていることを特徴とするスリーブ保持具。
【請求項４】
配管用のスリーブを設置するスリーブ設置方法において、
請求項３に記載のスリーブ保持具と、
請求項３に記載のスリーブ保持具の平面的な設置位置と該スリーブ保持具の前記高さ表示が記載された建物の施工図と、を有し、
前記施工図に記載された前記高さ表示を確認し、前記高さ表示と前記スリーブ保持具の高さ表示とを一致させるように前記高さ調節部を調節した後、前記スリーブ保持具を前記施工図に記載された前記平面的な設置位置に設置することを特徴とするスリーブ設置方法。
【発明の詳細な説明】
【技術分野】
【０００１】
本発明は、鉄筋コンクリート構造物の施工時に設ける配管用のスリーブを保持するためのスリーブ保持具に関するものである。
【背景技術】
【０００２】
従来、鉄筋コンクリート構造物のコンクリートを打設する際、梁や壁に配管を貫通させる貫通孔を形成する為に予め梁や壁の内部にスリーブを埋設することが行われており、このスリーブを所定の位置に保持する為のスリーブ保持具の提案がなされている。このスリーブ状の保持具は、鉄筋に保持具を固定するための固定部と、スリーブを保持するスリーブ保持部と、前記固定部と前記スリーブ保持部とを連結する連結部と、から構成されている（例えば、特許文献１乃至４参照）。
【０００３】
【特許文献１】特開２００４−２４４９８６（図１）
【特許文献２】特開２００２−４７７９６（図２）
【特許文献３】特開２０００−２４８７３９（図１）
【特許文献４】特開昭６３−４４０３７（図３）
【発明の開示】
【発明が解決しようとする課題】
【０００４】
しかしながら、前述の特許文献１乃至３においては、連結部の長さが一定であるため、固定部と保持部との距離を調節することができない。このため、鉄筋からスリーブまでに必要な寸法に応じて、連結部の長さの異なるスリーブ保持具を個別に設計しなければならず、量産をするにあたって問題があった。
【０００５】
また、特許文献４に開示されたスリーブ保持構造は、スリーブの高さを調節することができる構成ではあるが、縦長の溝に挿通したネジを締付けて無段階に固定する構成である。このような構成であると、ネジを締付けるための専用工具が必要であるという問題、締付け作業に手間がかかるという問題、ネジが緩んだり上下方向に力がかかるなどしてスリーブの位置が移動する虞があるという問題、高さの設定の目安になるものが無く手間がかかり、排水管のように配管に所定の勾配をつける場合において配管の長さに応じてスリーブの高さをスリーブ毎に変化させる必要があり更に手間がかかるという問題などがあった。
【０００６】
本発明の目的は、作業者が配管用のスリーブを適切な位置に保持することを、手間をかけず容易かつ確実に行うことができるスリーブ保持具を提供することである。
【課題を解決するための手段】
【０００７】
前記目的を達成するための本発明に係るスリーブ保持具の第１の構成は、コンクリートの打設時に埋設する配管用のスリーブを保持するためのスリーブ保持部と、同一の高さに水平に配設された鉄筋に固定するための固定部と、前記スリーブ保持部及び前記固定部の間において前記スリーブの高さを調節する高さ調節部と、を有し、前記高さ調節部は、高さ方向に所定の間隔で配設されている複数の穴と該穴に嵌合する水平方向に突出した突起とを嵌合させることにより高さの調節を段階的に行い得ることを特徴とする。
【０００８】
本発明に係るスリーブ保持具の第２の構成は、第１の構成に記載のスリーブ保持具であって、前記複数の穴の間隔は、建物のモジュールと配管の勾配とにより決定されることを特徴とする。
【０００９】
本発明に係るスリーブ保持具の第３の構成は、第１又は２の構成に記載のスリーブ保持具であって、前記複数の穴のそれぞれの近傍には、保持する前記スリーブの高さを表す高さ表示が付されていることを特徴とする。
【００１０】
本発明に係る配管用のスリーブを設置するスリーブ設置方法は、第３の構成に記載のスリーブ保持具と、第３の構成に記載のスリーブ保持具の平面的な設置位置と該スリーブ保持具の前記高さ表示が記載された建物の施工図と、を有し、前記施工図に記載された前記高さ表示を確認し、前記高さ表示と前記スリーブ保持具の高さ表示とを一致させるように前記高さ調節部を調節した後、前記スリーブ保持具を前記施工図に記載された前記平面的な設置位置に設置することを特徴とする。
【発明の効果】
【００１１】
第１の構成においては、専用の工具等を必要とせず、前記高さ調節部の突起と穴を嵌合させるという簡単な作業でスリーブの高さを調節することができる。
【００１２】
また、前記高さ調節部の突起は水平方向に突出しているので、スリーブ保持具に上下方向の力が加わったとしても脱落する虞がなく、スリーブの高さを維持することができる。
【００１３】
更に、勾配の必要な配管経路上に複数のスリーブ保持具を配設する場合、前記突起を前記穴に嵌合させる位置をずらすことによって２つのスリーブに確実に高低差をつけることができ、配管に容易に勾配をつけることができる。
【００１４】
第２の構成においては、前記複数の穴の間隔は、建物のモジュールと配管の勾配とにより決定される。これにより、例えば、前記モジュールと前記配管の勾配とを掛け合わせた値を前記複数の穴の前記所定の間隔としておくと、勾配を必要とする配管経路上に配設する２つのスリーブ保持具の離間寸法１モジュールにつき、前記突起を嵌合させる穴の位置を１つずらすことで、確実に所望の勾配を得ることができる。
【００１５】
第３の構成によれば、前記複数の穴のそれぞれの近傍に、スリーブの高さを表す高さ表示が付されている。このため、スリーブの高さを調節する際に数字を見ることで確実に前記突起の嵌合すべき場所がわかる。
【００１６】
また、第３の構成のスリーブ保持具を用いたスリーブ設置方法によれば、作業者は施工図を確認し、施工図に記載されている前記高さ表示を見て、対応する高さ表示が付してある前記穴に前記突起を嵌合すれば、確実に前記高さ調節部の長さを所望の長さに設定することができる。これにより、施工図で指示された場所に適切な長さの高さ調節部を有するスリーブ保持具が設置されることなる。そして、特に配管に所定の勾配を要する場合、施工現場で配管の長さや勾配をもとにスリーブの設置高さを算出する手間をかけることなく、適切な勾配が得られるようにスリーブを設置することができる。
【発明を実施するための最良の形態】
【００１７】
図を用いて、本発明に係るスリーブ保持具１について説明する。図１（ａ）にスリーブ保持具１の正面図を、図１（ｂ）にスリーブ保持具１の側面図を、図２にスリーブ保持具１の使用状態を示す斜視図を示す。
【００１８】
図１及び図２に示すように、本実施形態のスリーブ保持具１は、スリーブ保持部２と、固定部３と、高さ調節部４とから構成される。スリーブ保持具１の各部は、合成樹脂等の可撓性を有する材質によって構成されている。
【００１９】
図１及び図２に示すように、スリーブ保持部２は、断面略Ｃ字状に構成されており、下方に当該Ｃ字状の開口を有する。スリーブ保持部２は可撓性を有しているため、前記Ｃ字状の開口から、配管を貫通させるために配設される紙製又は塩化ビニール製等のスリーブ10をＣ字状の開口から入れる（図２参照）。これにより、スリーブ10は、スリーブ保持部２に把持されることで保持される。
【００２０】
尚、本実施形態においては下方に開口を有する断面略Ｃ字状の構成としたが、これに限るものではなく、側方に開口がある構成としてもよい。また、スリーブ10を保持できる構成であれば、断面略Ｃ字状に限るものではない。
【００２１】
また、図１及び図２に示すように、スリーブ保持部２のＣ字状の開口部の両端には細い針金（結束線）を引掛けるための結束線固定部５が形成されている。スリーブ保持具１の使用時には、図２に示すように、結束線の一端を結束線固定部５に固定し、結束線の他端をスリーブ保持具１の下方の鉄筋11ｂに固定する。これにより、スリーブ保持具１の下方の開口が開いてスリーブが脱落する虞がなく、さらにスリーブ保持具１は３方向から引っ張られて位置が安定し、コンクリート打設時に流動性のあるコンクリートに押されても移動する虞がない。位置決めを確実にすることができる。尚、結束線固定部５の形状は、本実施形態のように結束線を引掛けて固定する構成に限るものではなく、穴を形成するなどして結束線を貫通させて固定する構成としてもよい。
【００２２】
固定部３は、断面が略Ｃ字状の構成で、可撓性を有する材質にて構成される。当該Ｃ字状の開口があることにより、固定部３はスリーブ保持具１の上方の鉄筋11ａを把持する。これにより、スリーブ保持具１を鉄筋11ａに対して固定することができる。なお、開口は側面方向にあるのでスリーブ保持具１に上下方向の力が加わっても鉄筋11ａから外れる虞がない。
【００２３】
高さ調節部４は、スリーブ保持部２に一体的に構成される前部４ａと、固定部３に一体的に構成される後部４ｂとにより構成される。前部４ａには上下方向に一直線上かつ等間隔に多数の穴40が形成されている。一方、後部４ｂには穴40に嵌まり込む突起６が２箇所水平方向に突出するように形成されている。この構成により、高さ調節部４を形成する際には、前部４ａの穴40に後部４ｂの突起６を嵌め込む。これにより、高さ調節部４が形成され、スリーブ保持具１が一体的な構成となる。
【００２４】
高さ調節部４は伸縮自在に構成されており、高さ調節部４の長さを伸縮することで、スリーブ保持部２と固定部３との距離を変更することができる。これにより、鉄筋11ａに設置されたスリーブ保持具１に保持されるスリーブ10の高さを調節することができる。これについて次に具体的に説明する。
【００２５】
なお、本実施形態では穴および突起の形状はともに円形であるが、これに限るものではなく、嵌合可能な形状であれば楕円形やスリット形状などでも構わず、穴と突起の形状が相違していても構わない。また、穴の上下方向の配列も一直線上に限るものではなく、例えば、図５に示すように千鳥状に配列すると、穴どうしの離間寸法が十分確保できないような場合においても、穴を所定間隔で配置することができる。
【００２６】
前述のように、前部４ａには等間隔に多数の穴40が形成されている。また、穴40の側部には上から順に番号（本実施形態においては、上から０〜１１の番号）が付されている。この番号は、高さ調節部４の長さの表示（高さ表示）であり、下に行くにつれて大きい数字となっている。
【００２７】
ここで、マーク６Ｍの付いている突起６を番号の大きい穴40に嵌め込むと、高さ調節部４の長さが短くなる。例えば本実施形態においては、図１に示すように１１番の穴40にマーク６Ｍの付いている突起６を嵌め込むと、高さ調節部４は最も短い状態となる。一方、０番の穴40にマーク６Ｍの付いている突起６を嵌め込むと、高さ調節部４の長さは最も長い状態となる。
【００２８】
ここで、各穴40の間隔（ピッチ）について説明する。穴40のピッチは、配管に勾配をつける必要がある場合には、建物のモジュール必要な配管の勾配に応じて形成することが好ましい。即ち、ひとつの配管系路上に２つのスリーブ保持具１を配設する場合、２つのスリーブ保持具１の間の配管長さ１モジュールにつきマーク６Ｍのある突起６を嵌め込む穴を１つずらせば、所望の配管の勾配がつくように構成することが好ましい。
【００２９】
例えばモジュールの値が３０５ｍｍで、配管の勾配を１／５０とする場合、穴40のピッチは３０５×１／５０＝６．１ｍｍとなるように形成するとよい。このように構成することで、配管長さがモジュールの何倍であるかを把握し、その倍数に応じて２つののスリーブ保持具の間で突起を嵌合する穴の位置をずらすだけで、スリーブに所望の高低差をつけることができ、配管に所望の勾配をつけることができる。
【００３０】
次に図面を用いて具体的に説明する。図３は住宅の基礎工事の際に使用される施工図（基礎伏図）の一部である。
【００３１】
図３に示された住宅はモジュールが３０５ｍｍであり、図中の一点鎖線は布基礎の中心位置を示す通り芯を表し、通り芯相互の間隔はモジュールの整数倍となるように構成されている。通り芯を中心とした等間隔の平行な実線は布基礎の配置を表し、２点鎖線は排水経路を表し、塗りつぶしの三角はスリーブ配設位置を表している。なお、一般に基礎伏図に間取りが表記されることは少ないが、本図においては便宜上間仕切り壁、建具、水周り設備等を点線にて表記してある。
【００３２】
図４に示すように基礎断面は逆Ｔ字形状であり、上方と下方には夫々全長に渡って所定の高さに水平な鉄筋（主筋）配置され、主筋は縦方向の鉄筋（スターラップ）を溶接する、あるいは結束線で結束するなどして所定の間隔が保持される。スターラップは、通り芯からモジュールの半分（１５２.５ｍｍ）だけずらした位置にモジュールと同一ピッチ（３０５ｍｍ間隔）で配置される。従って、スリーブと排水方向の通り芯との離隔寸法をモジュールの整数倍とすれば、スリーブとスターラップが干渉することがない。また、排水管を基礎グリッドの内部で直角に屈折させる場合でもスリーブ管の排水管の長さはほぼモジュールの整数倍とすることができる。
【００３３】
また、排水管を建物の外部に抜く位置における排水管の高さ（最下流のスリーブの高さ）は夫々の排水経路で同一とし、この高さを基準として上流のスリーブの高さが決定される。
【００３４】
図３において、排水管を建物外部に抜く位置（基準位置）をＡとし、建物の内部の基礎を排水管が貫通する位置（設置位置）をＢとする。図３に示すように、設置位置Ｂは、基準位置Ａから縦方向に１２２０ｍｍ、横方向に９１５ｍｍの位置とする。
【００３５】
基準位置Ａと設置位置Ｂとの間で配管の勾配１／５０を確保するためには、排水管の長さに応じて基準位置Ａと設置位置Ｂとの高さの差を決定する必要がある。ここで通常、排水管はエルボで直角に曲げているため、基準位置Ａから設置位置Ｂまでの配管の長さは１２２０＋９１５＝２１３５ｍｍとなる。即ち、モジュールの７倍の長さになる。
【００３６】
この場合、スリーブ保持具１の高さ調節部４は、前述のようにモジュール１つ分が穴40のピッチ１つに対応している。このため、鉄筋11ａの高さが一定の場合、モジュールの７倍の長さの配管に適切な勾配をつけるために、突起６を嵌め込む穴の位置を、基準位置Ａに配設するスリーブ保持具１よりも設置位置Ｂに配設するスリーブ保持具１の方が７つ下となるようにすればモジュールの７倍の長さの排水管に適切な勾配をつけることができる。これによって、基準位置Ａと設置位置Ｂとの間で必要な高さの差、２１３５×１／５０＝４２．７ｍｍを容易に得ることができる。
【００３７】
このように、高さ調節部４の穴40のピッチがモジュールに対応している。このため、スリーブ保持具１を鉄筋11ａに設置する場合には、まずスリーブ10を配設する基準位置Ａから設置位置Ｂまでの配管の長さを計測する。そして、基準位置Ａから設置位置Ｂまでの長さがモジュールの何倍に対応するか把握する。次に、設置位置Ｂのスリーブ保持具は、マーク６Ｍの付いている突起６を嵌め込む穴40を基準位置Ａのスリーブ保持具よりも前記の倍数分だけ下方にずらして嵌め込む。最後に、鉄筋11ａに固定部３を取り付ける。
【００３８】
これにより、排水管の長さを把握するだけで、スリーブ10に、適切な配管の勾配が得られる高低差をつけることができ、作業効率を向上させることができる。
【００３９】
本実施形態においては、基準位置Ａから設置位置Ｂまでの排水管の長さを把握してスリーブ保持具の調節部の嵌合位置を決定したが、これに限るものではない。例えば、建物の施工図に、予め机上で排水管の長さを求めこれに基づきスリーブ保持具の調節部の嵌合位置を施工図に表記しておくことで施工現場での作業の軽減を図ることができる。具体的には、図３に示すように、基準位置Ａから設置位置Ｂまでの配管の長さが、モジュールの７倍に相当する場合、基準位置Ａの近傍に（０）、設置位置Ｂの近傍に（７）というように、高さ調節部４に付される番号を施工図に予め表記しておく。
【００４０】
そして、施工現場において作業者が高さ調節部４の調節を行う際には、まず施工図に表示された番号を確認し、次に表示された番号に応じた穴40にマーク６Ｍの付いている突起６を嵌合させる。これにより、現場において排水管の勾配や長さをもとにスリーブの配設高さを求める必要がなく、簡単かつ確実に高さ調節部４の長さを決定し適切な高さにスリーブを配設することができる。
【００４１】
本実施形態の高さ調節部４は、樹脂材料で構成され、複数の穴40を設けた前部４ａと突起６を設けた後部４ｂとを嵌め合わせることで伸縮自在に構成している。樹脂材料で構成したことにより成型加工が容易である。また、部品点数が少なく構成も簡単である。このような構成により、生産性が高いといった効果もある。
【００４２】
但し、伸縮構造は、これに限るものではない。例えば、前部４ａと後部４ｂとが互いにスライドするようなスライド機構とし、穴40と突起６によって係止する代わりにクリックストップ等の機構としてもよい。
【００４３】
本実施形態の前部４ａの穴40に設けられる番号は、基準位置Ａからモジュール１つ分離れた位置にスリーブ保持具１を設置する場合には、突起６を嵌める穴40を１つ下げ、５つ分離れた位置に設置する場合には、突起６を嵌める穴40を５つ下げるように「０、１、２、３、４、５」と順に付されている。しかしながら、番号の付し方はこれに限るものではない。
【００４４】
例えば、「０、３、６、９、１２、１５、」のように番号を付すことで、基準位置Ａから３０５ｍｍ離れた場合には、下２桁を省略して考慮し、突起６を「３」の番号の穴40に嵌め、基準位置Ａから１５２５ｍｍ離れた場合には、同様に突起６を「１５」の番号の穴40に嵌めることとしてもよい。このように構成しても、専門的な知識がなくとも、容易にスリーブ保持具１を設置することができる。
【産業上の利用可能性】
【００４５】
本発明は、工業化住宅など、モジュール、基礎断面形状、鉄筋の径や位置などが規格化されるとともに、スリーブの配設高さがある程度の範囲に限定される構造物において特に効果を発揮し利用価値が高い。
【００４６】
また、本発明は、コンクリート打設の際に限らず、配管の勾配に応じて高さを調節する継手としても利用可能である。また、建築排水工事全般、土木排水工事全般に利用することができる。
【図面の簡単な説明】
【００４７】
【図１】（ａ）スリーブ保持具１の正面図（ｂ）スリーブ保持具１の側面図。
【図２】スリーブ保持具１の使用状態を示す斜視図。
【図３】家屋の設計図の模式図。
【図４】スリーブ保持具１を基礎に設置する場合の説明図。
【図５】穴を千鳥状に配列した場合の参考例の説明図。
【符号の説明】
【００４８】
Ａ  …基準位置
Ｂ  …設置位置
１  …スリーブ保持具
２  …スリーブ保持部
３  …固定部
４  …高さ調節部
４ａ  …前部
４ｂ  …後部
５  …結束線固定部
６  …突起
６Ｍ  …マーク
10  …スリーブ
11ａ  …鉄筋
11ｂ  …鉄筋
40  …穴
【図１】
2006241756.tif 000003
【図２】
2006241756.tif 000004
【図３】
2006241756.tif 000005
【図４】
2006241756.tif 000006
【図５】
2006241756.tif 000007